(57)【要約】【課題】  ステープルできない場合でも効率良くコピーできる画像記録装置を提供する。【解決手段】  ステープルのＯＮを選択する手段と、コピーされる原稿の画像を読み取る手段と、読み取られた画像データを記憶する手段と、前記原稿の枚数が記憶手段に記憶された最小ステープル不可枚数に達したときは、ステープルできないことに了解するか否かを問うメッセージを表示する手段と、ステープルできないことに了解する旨の回答が選択されたときは、ステープルをＯＦＦにする手段と、前記原稿の全ページの画像の読取が完了したときは、前記記憶された画像データを用紙にプリントする手段と、を備えた。【選択図】      図４ 
2005111799.tif 000002
【特許請求の範囲】
【請求項１】
ステープルのＯＮを選択する手段と、
コピーされる原稿の画像を読み取る手段と、
読み取られた画像データを記憶する手段と、
前記原稿の枚数が記憶手段に記憶された最小ステープル不可枚数に達したときは、ステープルをＯＦＦにする手段と、
前記原稿の全ページの画像の読取が完了したときは、前記記憶された画像データを用紙にプリントする手段と、
前記原稿の枚数が前記最小ステープル不可枚数に達したことによりステープルがＯＦＦにされておりかつ前記プリントが完了したときは、ステープルできなかった旨のメッセージを表示する手段と、
を備えたことを特徴とする画像記録装置。
【請求項２】
ステープルのＯＮを選択する手段と、
コピーされる原稿の画像を読み取る手段と、
読み取られた画像データを記憶する手段と、
前記原稿の枚数が記憶手段に記憶された最小ステープル不可枚数に達したときは、ステープルできないことに了解するか否かを問うメッセージを表示する手段と、
ステープルできないことに了解する旨の回答が選択されたときは、ステープルをＯＦＦにする手段と、
前記原稿の全ページの画像の読取が完了したときは、前記記憶された画像データを用紙にプリントする手段と、
を備えたことを特徴とする画像記録装置。
【請求項３】
ステープルのＯＮを選択する手段と、
コピーされる原稿の画像を読み取る手段と、
読み取られた画像データを記憶する手段と、
前記原稿の枚数が記憶手段に記憶された最小ステープル不可枚数に達したときは、ステープルできないことに了解するか否かを問うメッセージを表示する手段と、
ステープルできないことに了解する旨の回答が選択されたときは、ステープルをＯＦＦにし、シフトをＯＮにするか否かを問うメッセージを表示する手段と、
シフトをＯＮにしない旨の回答が選択されておりかつ前記原稿の全ページの画像の読取が完了したときは、前記記憶された画像データを用紙にプリントする手段と、
を備えたことを特徴とする画像記録装置。
【請求項４】
シフトをＯＮにする旨の回答が選択されたときは、シフト枚数の入力を求めるメッセージを表示する手段と、
シフト枚数を入力する手段と、
前記原稿の全ページの画像の読取が完了していないときは、前記読取を再開する手段と、
前記原稿の全ページの画像の読取が完了していたとき又は前記再開後に前記原稿の全ページの画像の読取が完了したときは、前記記憶された画像データを用紙にプリントする手段と、
プリント枚数が前記入力されたシフト枚数に達したときは、シフト動作を行い、プリント枚数をリセットし、前記プリントを再開する手段と、
前記再開後のプリントが完了しないときは、前記プリントの開始後の状態に戻る手段と、
を備えた請求項３記載の画像記録装置。
【請求項５】
ステープルできないことに了解しない旨の回答が選択されたときは、ステープル分割枚数の入力を求めるメッセージを表示する手段と、
前記ステープル分割枚数を入力する手段と、
前記原稿の全ページの画像の読取が完了していないときは、前記読取を再開する手段と、
前記原稿の全ページの画像の読取が完了していたとき又は前記再開後に前記原稿の全ページの画像の読取が完了したときは、前記記憶された画像データを用紙にプリントする手段と、
プリント枚数が前記入力されたステープル分割枚数に達したときは、前記プリントされた用紙をステープルし、プリント枚数をリセットし、前記プリントを再開する手段と、
前記再開後のプリントが完了しないときは、前記プリントの開始後の状態に戻る手段と、
前記再開後のプリントが完了したときは、前記プリントされた用紙をステープルする手段と、
を備えた請求項２、３、又は４記載の画像記録装置。
【発明の詳細な説明】
【技術分野】
【０００１】
本発明は、ステープルできない場合でもコピー可能な画像記録装置に関するものである。
【背景技術】
【０００２】
従来のこの種の技術としては、画像形成部で画像形成されたシートを複数枚束ねてシート束とし、これをステープル綴じして出力する画像形成装置であって、異なる厚さのシートを画像形成部に選択的に給送可能なシート給送手段と、所定の厚さのシートを用いると前記シート束の厚さが最大ステープル綴じ厚を越える場合に、前記シート給送手段を制御して、前記シート束の厚さが前記最大ステープル綴じ厚以下となってステープル綴じが可能となるようにいずれかの厚さのシートを給送させるシート給送制御手段と、前記シート給送手段により給送可能なシートの内のいずれのシートを選択しても、前記シート束の厚さが最大ステープル綴じ厚よりも厚くなることを判断する判断手段と、前記判断手段により、前記シート束の厚さが最大ステープル綴じ厚よりも大きくなることが判断されると、ステープル綴じできない旨を操作者に対して表示させるステープル不可表示手段とを備えた画像形成装置等が知られている（例えば、特許文献１参照）。
【特許文献１】特開２００１−３９６１７号公報（第２頁，第６頁，図３等）
【発明の開示】
【発明が解決しようとする課題】
【０００３】
上記のような画像形成装置においては、シート束の厚さが最大ステープル綴じ厚よりも大きくなると判断された場合、ステープル不可警告表示をするように構成されているが、プリント（画像形成）はされないので、この場合にはコピー等を効率良く行うことができないという問題点がある。
【０００４】
本発明は、以上のような問題点に鑑みてなされたものであり、ステープルできない場合でも効率良くコピーできる画像記録装置を提供することを目的とする。
【課題を解決するための手段】
【０００５】
上記目的を達成するための請求項１の発明は、ステープルのＯＮを選択する手段と、コピーされる原稿の画像を読み取る手段と、読み取られた画像データを記憶する手段と、前記原稿の枚数が記憶手段に記憶された最小ステープル不可枚数に達したときは、ステープルをＯＦＦにする手段と、前記原稿の全ページの画像の読取が完了したときは、前記記憶された画像データを用紙にプリントする手段と、前記原稿の枚数が前記最小ステープル不可枚数に達したことによりステープルがＯＦＦにされておりかつ前記プリントが完了したときは、ステープルできなかった旨のメッセージを表示する手段と、を備えたものである。
【０００６】
請求項２の発明は、ステープルのＯＮを選択する手段と、コピーされる原稿の画像を読み取る手段と、読み取られた画像データを記憶する手段と、前記原稿の枚数が記憶手段に記憶された最小ステープル不可枚数に達したときは、ステープルできないことに了解するか否かを問うメッセージを表示する手段と、ステープルできないことに了解する旨の回答が選択されたときは、ステープルをＯＦＦにする手段と、前記原稿の全ページの画像の読取が完了したときは、前記記憶された画像データを用紙にプリントする手段と、を備えたものである。
【０００７】
請求項３の発明は、ステープルのＯＮを選択する手段と、コピーされる原稿の画像を読み取る手段と、読み取られた画像データを記憶する手段と、前記原稿の枚数が記憶手段に記憶された最小ステープル不可枚数に達したときは、ステープルできないことに了解するか否かを問うメッセージを表示する手段と、ステープルできないことに了解する旨の回答が選択されたときは、ステープルをＯＦＦにし、シフトをＯＮにするか否かを問うメッセージを表示する手段と、シフトをＯＮにしない旨の回答が選択されておりかつ前記原稿の全ページの画像の読取が完了したときは、前記記憶された画像データを用紙にプリントする手段と、を備えたものである。
【０００８】
請求項４の発明は、シフトをＯＮにする旨の回答が選択されたときは、シフト枚数の入力を求めるメッセージを表示する手段と、シフト枚数を入力する手段と、前記原稿の全ページの画像の読取が完了していないときは、前記読取を再開する手段と、前記原稿の全ページの画像の読取が完了していたとき又は前記再開後に前記原稿の全ページの画像の読取が完了したときは、前記記憶された画像データを用紙にプリントする手段と、プリント枚数が前記入力されたシフト枚数に達したときは、シフト動作を行い、プリント枚数をリセットし、前記プリントを再開する手段と、前記再開後のプリントが完了しないときは、前記プリントの開始後の状態に戻る手段と、を備えたものである。
【０００９】
請求項５の発明は、ステープルできないことに了解しない旨の回答が選択されたときは、ステープル分割枚数の入力を求めるメッセージを表示する手段と、前記ステープル分割枚数を入力する手段と、前記原稿の全ページの画像の読取が完了していないときは、前記読取を再開する手段と、前記原稿の全ページの画像の読取が完了していたとき又は前記再開後に前記原稿の全ページの画像の読取が完了したときは、前記記憶された画像データを用紙にプリントする手段と、プリント枚数が前記入力されたステープル分割枚数に達したときは、前記プリントされた用紙をステープルし、プリント枚数をリセットし、前記プリントを再開する手段と、前記再開後のプリントが完了しないときは、前記プリントの開始後の状態に戻る手段と、前記再開後のプリントが完了したときは、前記プリントされた用紙をステープルする手段と、を備えたものである。
【発明の効果】
【００１０】
請求項１の発明によれば、ステープルできない場合でもプリントすると共に、ステープルできなかった旨のメッセージが表示されるので、効率良くコピーすることができる。
【００１１】
請求項２の発明によれば、ステープルできない場合でもプリントすると共に、ステープルできないことに了解するか否かを問うメッセージが表示されるので、効率良くコピーすることができる。
【００１２】
請求項３の発明によれば、ステープルできない場合でもプリントすると共に、ステープルできないことに了解するか否かを問うメッセージ及びシフトするか否かを問うメッセージが表示されるので、効率良くコピーすることができる。
【００１３】
請求項４の発明によれば、ステープルしない場合でも、入力したシフト枚数でシフトすることができる。
【００１４】
請求項５の発明によれば、ステープルできないことに了解しない場合でも、入力したステープル分割枚数で分割してステープルすることができる。
【発明を実施するための最良の形態】
【００１５】
以下、本発明の実施形態を図面に基づいて説明する。
第１実施形態に係る画像記録装置１は、図１に示すように、ＣＰＵ（Central Processing Unit，中央処理装置）２、ＲＡＭ（Random Access Memory，随時書き込み読み出しメモリ）３、ＲＯＭ（Read Only Memory，読み出し専用メモリ）４、コーデック（ＣＯＤＥＣ）５、モデム６、ＮＣＵ（Network Control Unit，回線網制御装置）７、読取部８、プリント部９、表示部１０、操作部１１、ステープル部１２、及びＬＡＮ（Local Area Network）インターフェース（Ｉ／Ｆ）１３等を備えたものであり、各部２〜１３はバス１４を介して互いに通信可能に接続されている。
【００１６】
ＲＯＭ４には、ＣＰＵ２により各部３〜１３の動作を制御するための各種制御プログラム、最小ステープル不可枚数（＝ステープル可能枚数＋１）、各種メッセージ等を記憶した記憶部として機能する。なお、ステープル可能枚数が例えば５０枚である場合、最小ステープル不可枚数は５１枚となる。
【００１７】
ＣＰＵ２は、ＲＯＭ４等に格納された制御プログラムに従って各部３〜１３の動作を制御する制御部として機能する。ＲＡＭ３は、読取部８により読み取られる原稿の画像データ、ＣＰＵ２によりカウントされる原稿枚数、ＣＰＵ２によりカウントされるプリント枚数、操作部１１により入力されるステープル分割枚数Ｘ、操作部１１により入力されるシフト枚数Ｙ、各種設定情報等を記憶する記憶部として機能する。
【００１８】
読取部８は、原稿の画像を読み取り、白黒２値化等した画像データを出力する。プリント部９は、電子写真方式等により、ＲＡＭ３に記憶された画像データ等を用紙にプリントする。ステープル部１２は、プリントされた用紙を複数枚重ねた状態でステープルする。搬送手段（図示せず）は、プリントされた用紙やステープルされた用紙等を搬送してトレイ（図示せず）に排出する。トレイは、操作部１１によりシフトのＯＮが選択されているときは、操作部１１により入力されたシフト枚数Ｙ等に基づいてシフト動作を行う。
【００１９】
表示部１０は、操作部１１等に併設されたＬＣＤ（Liquid Crystal Display，液晶ディスプレイ）等で構成されており、各種の画面情報を表示する。操作部１１は、ステープルのＯＮ・ＯＦＦ、コピーのスタート、ステープル分割枚数Ｘ、シフトのＯＮ・ＯＦＦ、シフト枚数Ｙ等の各種情報・操作の入力・選択をするための入力キーや選択キー等を備えている。画像記録装置１に対するオペレータによる各種操作は、この操作部１１を通じて行われる。
【００２０】
コーデック５は、画像データを送信のためにＭＨ（Modified Huffman）方式、ＭＲ（Modified READ）方式、ＭＭＲ（Modified Modified READ）方式等により符号化したり、受信した画像データを復号化したりする。また、コーデック５は、電子メールの添付ファイル形式として一般的に利用されている画像フォーマットであるＴＩＦＦ（Tagged Image File Format）形式にも対応して画像データを符号化及び復号化する。
【００２１】
モデム６は、例えばＩＴＵ−Ｔ（国際電気通信連合−電気通信標準化部門）の勧告Ｖ．３４規格又はこれと同様のものに従った送信データの変調及び受信データの復調を行う。ＮＣＵ７は、ＰＳＴＮ（Public Switched Telephone Network，公衆電話交換網）１５に接続されており、電話回線を制御して電話をかけたり切ったりする。
【００２２】
ＬＡＮインターフェース１３は、ＬＡＮ１６と画像記録装置１とを通信可能に接続するインターフェースである。ＬＡＮ１６にはクライアントＰＣ（Personal Computer）（図示せず）が設置されており、画像記録装置１が有する各種機能をクライアントＰＣからＬＡＮ１６を通じて利用できるようになっている。また、ＬＡＮ１６にはメールサーバ（図示せず）や、インターネットに接続されたルータ（図示せず）等も設置されており、画像記録装置１はメールサーバやルータ等を通じてインターネット上の他の電子メール端末装置とインターネットファクシミリ通信を行うことができるようになっている。
【００２３】
上記のように構成された画像記録装置１は、コピー機の他、ネットワークプリンタ、ネットワークスキャナ、ファクシミリ通信機能・インターネットファクシミリ通信機能・Ｆコード通信機能等を有する通信機等としても機能する複合機である。ここで、Ｆコード通信とはＩＴＵ−Ｔの規格に従ったサブアドレスやパスワードを利用して行う通信であり、サブアドレス等と配信先とを対応付けて記憶したＦコードボックスに基づいて、受信した画像データの配信先が決定されるようになっている。なお、画像記録装置１は上記のような複合機に限定されるものではなく、少なくともコピー機として機能するものであればよい。
【００２４】
次に、コピー処理の手順例を図２及び図３に示すフローチャートに基づいて説明する。なお、この処理は、ＲＯＭ４に格納された制御プログラムに基づいてＣＰＵ２が発行する命令に従って行われる。
【００２５】
この処理においては、図２に示すように、まず、操作部１１によりステープルのＯＮが選択される（ステップＳ１）。なお、ステープルとは、プリント部９によりプリントされた用紙を複数枚重ねた状態でステープル材により綴じることをいう。
【００２６】
次いで、操作部１１によりコピーのスタートが選択されれば（ステップＳ２）、読取部８により原稿の読取が開始される（ステップＳ３）。この場合、ＣＰＵ２により原稿枚数がカウントされると共に、読み取られた画像データがＲＡＭ３に記憶される。
【００２７】
原稿枚数がＲＯＭ４に記憶された最小ステープル不可枚数に達したときは（ステップＳ４でＹＥＳ）、ＣＰＵ２によりステープルがＯＦＦにされ（ステップＳ５）、ステップＳ６に進む。原稿枚数が最小ステープル不可枚数と同一でなく（ステップＳ４でＮＯ）、かつ、原稿の全ページの画像の読取が完了していないときは（ステップＳ６でＮＯ）、ステップＳ４に戻る。原稿の全ページの画像の読取が完了したときは（ステップＳ６でＹＥＳ）、図３に示すように、ＲＡＭ３に記憶された画像データのプリントがプリント部９により開始される（ステップＳ７）。
【００２８】
原稿枚数が最小ステープル不可枚数に達したことによりステープルがＯＦＦにされているときは（ステップＳ８でＮＯ）、プリントされた用紙が搬送手段によりトレイに排出される（ステップＳ９）。次いで、プリントが完了したときは（ステップＳ１０でＹＥＳ）、「原稿枚数が多すぎてステープルできませんでした。」等のステープルできなかった旨のメッセージが表示部１０に表示され（ステップＳ１１）、処理が終了する。プリントが完了していないときは（ステップＳ１０でＮＯ）、ステップＳ１０に戻る。なお、前記メッセージはＲＯＭ４に記憶されている。
【００２９】
ステープルがＯＮであり（ステップＳ８でＹＥＳ）、かつ、プリントが完了したときは（ステップＳ１２でＹＥＳ）、プリントされた用紙がステープル部１２によりステープルされ（ステップＳ１３）、ステープルされた用紙が搬送手段によりトレイに排出され（ステップＳ１４）、処理が終了する。プリントが完了していないときは（ステップＳ１２でＮＯ）、ステップＳ１２に戻る。
【００３０】
このように、画像記録装置１によれば、ステープルできない場合でもプリントすると共に、ステープルできなかった旨のメッセージが表示されるので、効率良くコピーできるという利点がある。
【００３１】
第２実施形態に係る画像記録装置１は、第１実施形態において、原稿枚数が最小ステープル不可枚数に達したときは、警告表示をするように構成したものである。この場合のコピー処理の手順例を図４〜図６に示すフローチャートに基づいて説明する。なお、第１実施形態と同様の手順には第１実施形態と同一の符号を付し、その説明を省略する。
【００３２】
この処理においては、図４に示すように、原稿枚数が最小ステープル不可枚数に達したときは（ステップＳ４でＹＥＳ）、「原稿枚数が多すぎてステープルできません。よろしいですか？」等のステープルできないことに了解するか否かを問うメッセージが表示部１０に表示される（ステップＳ２１）。なお、前記メッセージはＲＯＭ４に記憶されている。
【００３３】
次いで、操作部１１により「はい」等のステープルできないことに了解する旨の回答が選択されたときは（ステップＳ２２でＹＥＳ）、ＣＰＵ２によりステープルがＯＦＦにされ（ステップＳ５）、ステップＳ６に進む。
【００３４】
図５に示すように、ステープルできないことに了解する旨の回答が選択されたことによりステープルがＯＦＦにされているときは（ステップＳ８でＮＯ）、プリントされた用紙が搬送手段によりトレイに排出され（ステップＳ１４）、処理が終了する。
【００３５】
図４に示すように、「いいえ」等のステープルできないことに了解しない旨の回答が選択されたときは（ステップＳ２２でＮＯ）、図６に示すように、「ステープル分割枚数を入力して下さい。」等のステープル分割枚数Ｘの入力を求めるメッセージが表示部１０に表示される（ステップＳ２３）。次いで、操作部１１によりステープル分割枚数Ｘが入力されれば（ステップＳ２４）、入力されたステープル分割枚数ＸがＲＡＭ３に記憶される。なお、前記メッセージはＲＯＭ４に記憶されている。
【００３６】
ここで、原稿の全ページの画像の読取が完了していないときは（ステップＳ２５でＮＯ）、読取部８により原稿の読取が再開される（ステップＳ２６）。原稿の全ページの画像の読取が完了していたとき（ステップＳ２５でＹＥＳ）又は読取の再開後に原稿の全ページの画像の読取が完了したときは（ステップＳ２７でＹＥＳ）、ＲＡＭ３に記憶された画像データの用紙へのプリントがプリント部９により開始される（ステップＳ２８）。
【００３７】
プリント枚数が入力されたステープル分割枚数Ｘに達したときは（ステップＳ２９でＹＥＳ）、プリントされた用紙がステープル部１２によりステープルされ（ステップＳ３０）、ステープルされた用紙が搬送手段によりトレイに排出され（ステップＳ３１）、ＣＰＵ２によりプリント枚数がリセットされ（ステップＳ３２）、プリント部９によりプリントが再開される（ステップＳ３３）。再開後のプリントが完了しないときは（ステップＳ３４でＮＯ）、プリントの開始後のステップＳ２９に戻る。再開後のプリントが完了したときは（ステップＳ３４でＹＥＳ）、プリントされた用紙がステープル部１２によりステープルされ（ステップＳ３５）、ステープルされた用紙が搬送手段によりトレイに排出され（ステップＳ３６）、処理が終了する。
【００３８】
このように、画像記録装置１によれば、ステープルできない場合でもプリントすると共に、ステープルできないことに了解するか否かを問うメッセージが表示されるので、効率良くコピーできるという利点がある。また、ステープルできないことに了解しない場合でも、入力したステープル分割枚数で分割してステープルできるという利点がある。
【００３９】
第３実施形態に係る画像記録装置１は、第２実施形態において、ステープルできないことに了解する旨の回答が選択されたときは、シフトするか否かを問うメッセージを表示するように構成したものである。この場合のコピー処理の手順例を図７及び図８に示すフローチャートに基づいて説明する。なお、第２実施形態と同様の手順には第２実施形態と同一の符号を付し、その説明を省略する。
【００４０】
この処理においては、図７に示すように、操作部１１によりステープルできないことに了解する旨の回答が選択され（ステップＳ２２でＹＥＳ）、ＣＰＵ２によりステープルがＯＦＦにされれば（ステップＳ５）、「シフトしますか？」等のシフトするか否かを問うメッセージが表示部１０に表示される（ステップＳ４１）。なお、前記メッセージはＲＯＭ４に記憶されている。
【００４１】
操作部１１によりシフトする旨の回答が選択されたときは（ステップＳ４２でＹＥＳ）、ステップＳ６に進む。シフトしない旨の回答が選択されたときは（ステップＳ４２でＮＯ）、図８に示すように、「シフト枚数を入力して下さい。」等のシフト枚数Ｙの入力を求めるメッセージが表示部１０に表示される（ステップＳ４３）。なお、前記メッセージはＲＯＭ４に記憶されている。操作部１１によりシフト枚数Ｙが入力されれば（ステップＳ４４）、入力されたシフト枚数ＹがＲＡＭ３に記憶される。
【００４２】
プリント部９によりプリントされる用紙は、搬送手段によりトレイに排出される（ステップＳ４５）。プリント枚数が入力されたシフト枚数Ｙに達したときは（ステップＳ４６でＹＥＳ）、トレイがシフトし（ステップＳ４７）、ＣＰＵ２によりプリント枚数がリセットされ（ステップＳ３２）、プリント部９によりプリントが再開され（ステップＳ３３）、再開後にプリントされた用紙が搬送手段によりトレイに排出される（ステップＳ４８）。再開後のプリントが完了しないときは（ステップＳ３４でＮＯ）、ステップＳ４６に戻る。再開後のプリントが完了したときは（ステップＳ３４でＹＥＳ）、処理が終了する。
【００４３】
このように、画像記録装置１によれば、ステープルできない場合でもプリントすると共に、ステープルできないことに了解するか否かを問うメッセージ及びシフトするか否かを問うメッセージが表示されるので、効率良くコピーできるという利点がある。また、ステープルしない場合でも、入力したシフト枚数でシフトできるという利点がある。その他の利点は第２実施形態と同様である。
【産業上の利用可能性】
【００４４】
以上のように、本発明に係る画像記録装置は、ステープルできない場合に有用であり、特に、ステープルできない場合でも効率良くコピー可能とするのに適している。
【図面の簡単な説明】
【００４５】
【図１】第１実施形態に係る画像記録装置の構成例を示すブロック図。
【図２】コピー処理の手順例の一部を示すフローチャート。
【図３】コピー処理の手順例の一部を示すフローチャート。
【図４】第２実施形態に係る画像記録装置におけるコピー処理の手順例の一部を示すフローチャート。
【図５】コピー処理の手順例の一部を示すフローチャート。
【図６】コピー処理の手順例の一部を示すフローチャート。
【図７】第３実施形態に係る画像記録装置におけるコピー処理の手順例の一部を示すフローチャート。
【図８】コピー処理の手順例の一部を示すフローチャート。
【符号の説明】
【００４６】
１  画像記録装置
【図１】
2005111799.tif 000003
【図２】
2005111799.tif 000004
【図３】
2005111799.tif 000005
【図４】
2005111799.tif 000006
【図５】
2005111799.tif 000007
【図６】
2005111799.tif 000008
【図７】
2005111799.tif 000009
【図８】
2005111799.tif 000010